(57)【要約】      （修正有）【課題】特に新型コロナウイルス等の、未知なウイルスであってワクチンが存在せず、人間が免疫を持っていないウイルスの感染を有効に防止するための飛沫防護用の卓上用パーテーションを提供する。【解決手段】シールド本体２と、シールド本体の左右の両端をそれぞれ支持する一対のスタンド部３を具備した自立可能な卓上用パーテーション１であって、シールド本体２は、２枚の板材２ａ、２ｂを重ね合わすことで構成され、スタンド部３はそれぞれ、シールド本体２の左右の両端を挟持して支持する挟持部４と、挟持部４の下端に連設された、側面形状を三角形状としたスタンド本体５と、シールド本体２の左右の両端を支持した状態で挟持部４とシールド本体２との位置を固定するための固定部材８を具備し、シールド本体２は表裏面に光触媒層を具備するとともに、上下動自在とした。【選択図】図１
0003228217.tif 000002
【実用新案登録請求の範囲】
【請求項１】
シールド本体（２）と、
該シールド本体（２）の左右の両端をそれぞれ支持する一対のスタンド部（３）と、を具備した、自立可能な卓上用パーテーションであって、
前記シールド本体（２）は、
２枚の板材（２ａ、２ｂ）を重ね合わすことで構成され、
前記スタンド部（３）はそれぞれ、
前記シールド本体（２）の左右の両端を挟持して支持する挟持部（４）と、
該挟持部（４）の下端に連設された、側面形状を三角形状としたスタンド本体（５）と、
前記シールド本体（２）の左右の両端を支持した状態で前記挟持部（３）とシールド本体（２）との位置を固定するための固定部材（８）と、を具備したことを特徴とする卓上用パーテーション。
【請求項２】
前記シールド本体（２）は、表裏面に光触媒層を具備したことを特徴とする請求項１に記載の卓上用パーテーション。
【請求項３】
前記シールド本体（２）は、上下動自在にして挟持部（４）に挟持されていることを特徴とする請求項１又は請求項２に記載の卓上用パーテーション。
【請求項４】
前記シールド本体（２）は、透明なプラスチック製であることを特徴とする請求項１乃至請求項３のいずれかに記載の卓上用パーテーション。
透明なシールド本体（２）と、
【請求項５】
前記シールド本体（２）は、発泡スチロール製であることを特徴とする請求項１乃至請求項３のいずれかに記載の卓上用パーテーション。
【考案の詳細な説明】
【技術分野】
【０００１】
本考案は卓上用のパーテーションに係り、より詳しくは、対面による会議や打ち合わせの際における飛沫感染を防止するために用いられる卓上用パーテーションに関する。
【背景技術】
【０００２】
従来、病院や診療所、調剤薬局等の医療機関や、銀行等の金融機関の窓口業務では、不特定多数の外来者と対面するために、インフルエンザウイルス等の飛沫感染を防止するために、受付カウンターや窓口カウンター等の患者と対面するカウンターに、カウンターの内と外を仕切って、飛沫感染を防止するための防護パネルを設けることが行われている。
【０００３】
そして、この防護パネルを用いることにより、カウンターの内部にいる応対者が外来者等の飛沫を受けることをガードすることが可能となり、特に医療従事者等が感染することを防止することが可能である。
【０００４】
また、医師等が患者と診察室等で対面して診察や説明をする際においても、医師と患者との間に、飛沫を防護するためのシート等を吊り下げることも行われており、これにより、医師等への二次感染を防止可能としている。
【先行技術文献】
【特許文献】
【０００５】
【特許文献１】実用新案登録第３１５２４９３号公報
【特許文献２】特開２０１１−３０７３８号公報
【特許文献３】特開２０１１-４１６８６号公報
【考案の概要】
【考案が解決しようとする課題】
【０００６】
ところで、西暦２０２０年（令和２年）における２月頃から、新型のコロナウイルスが世界的に大流行して多数の感染者、死者が発生しているが、このウイルスは新型のためにワクチンも存在していない。そのために感染を防止するために世界的に都市封鎖が行われている。
【０００７】
そして、日本においても、濃厚接触による飛沫感染等を防止するために、非常事態宣言が発表されるとともに、各方面に対して営業自粛やテレワーク等が求められる事態が発生している。
【０００８】
しかしながら、医療機関においては患者の治療や入院のために患者と接触する必要があるために、窓口や診察においては不特定多数の者と対面しなければならないのが実情である。
【０００９】
また、企業等においても営業自粛が求められ、テレワークが推奨されてはいるが、企業等においては、完全に経済活動を止めるわけにはいかず、また、運送業界や金融機関等においては仕事を止めるわけにはいかないために、対面による会議等をせざるを得ない場合がある。そのために、対面で会議等を行う場合には、飛沫を防護するガード等を用いることが不可欠である。
【００１０】
しかし、従来から用いられている飛沫防止用の防護パネル等は、窓口のカウンター等に設置する構成のために、設置作業が面倒であるとともに、価格も高いという問題点が考えられる。
【００１１】
更に、従来からデスク等の正面や左右側の端にパーテーションを置いて他の者との仕切りを行うことでプライベート空間を形成し、それにより集中力を高めることが行われているが、従来のパーテーションでは単に周囲との仕切りを行うのみであるため、インフルエンザウイルス等から防護することは不可能であった。
【００１２】
そこで、本考案は、特に新型コロナウイルス等の、未知なウイルスであってワクチンが存在せず、人間が免疫を持っていないウイルスの感染を有効に防止するための飛沫防護用の卓上用パーテーションを提供することを課題としている。
【課題を解決するための手段】
【００１３】
本考案の卓上用パーテーションは、
シールド本体と、
該シールド本体の左右の両端をそれぞれ支持する一対のスタンド部と、を具備した自立可能な卓上用パーテーションであって、
前記シールド本体は、
２枚の板材を重ね合わすことで構成され、
前記スタンド部はそれぞれ、
前記シールド本体の左右の両端を挟持して支持する挟持部と、
該挟持部の下端に連設された、側面形状を三角形状としたスタンド本体と、
前記シールド本体の左右の両端を支持した状態で前記挟持部とシールド本体との位置を固定するための固定部材と、を具備したことを特徴としている。
【考案の効果】
【００１４】
本考案の卓上用パーテーションは、飛沫を防止するためのシールド本体をスタンド部で支持して自立可能としているために、特に面倒な作業を行うことなく、対面式の窓口や会議等を行うデスクの上に容易に設置することが可能である。
【００１５】
また、シールド本体は、２枚の板材を重ね合わすことで構成されているために、板材間に資料等を挟むことができるので、会議中等において資料を相手に提示することが容易である。
【００１６】
従って、本考案の卓上用パーテーションを用いることで、特に新型コロナウイルス等の未知なウイルスであってワクチンが存在せず、人間が免疫を持っていないウイルスの飛沫感染を有効に防止しつつ、窓口超における対面業務、企業等における会議等を行うことが可能である。
【図面の簡単な説明】
【００１７】
【図１】本考案の卓上用パーテーションの実施例の斜視図である。
【考案を実施するための形態】
【００１８】
本考案の卓上用パーテーションは、シールド本体を有しており、このシールド本体は、左右の両端をそれぞれ、一対のスタンド部により支持しており、これにより、自立可能としている。
【００１９】
そして、シールド本体は、２枚の板材を重ね合わすことで構成されており、スタンド部は、シールド本体の左右の両端を支持する挟持部と、この挟持部の下端に連設されたスタンド本体を有しており、スタンド本体は、側面形状を三角形状としている。
【００２０】
また、本考案の卓上用パーテーションでは、シールド本体の左右の両端を支持した状態で挟持部とシールド本体との位置を固定するための固定部材を具備している。
【００２１】
ここで、シールド本体は、表裏面に光触媒層を具備するとよく、これにより、シールド本体に付着したウイルスを分解除去する機能が期待される。
【００２２】
また、シールド本体は、上下動自在にして挟持部に挟持するとよく、これにより、シールド本体をわずかに上昇して、デスクとシールド本体間に僅かな空間を形成することで、飛沫を互いに防止しつつ、資料等を相手方に渡すことが可能である。
【００２３】
更に、シールド本体は、透明なプラスチック製にするとよく、これにより対面による会話、会議等を行うことが可能となる。
【００２４】
また、シールド本体を発泡スチロール製の板材により構成してもよく、これによれば、プライベート空間を形成することが可能である。
【実施例１】
【００２５】
本考案の卓上用パーテーションの実施例について図面を参照して説明すると、図１は本実施例の卓上用パーテーションの斜視図であり、図において１が本実施例の卓上用パーテーションである。
【００２６】
そして、本実施例の卓上用パーテーション１は、シールド本体を有しており、このシールド本体によって相手方からの飛沫を防護している。
【００２７】
即ち、図において２がシールド本体であり、本実施例において前記シールド本体２は、透明なアクリル製としており、四角形状の板状のものを用いている。そのために、対面による接客や会議等においても、相手方を容易に見ることが可能である。
【００２８】
なお、シールド本体の素材は特に限定されず、必ずしもアクリルには限定されない、従って、その他のプラスチック製としてもよく、あるいは、木製、紙製、発泡スチロール製としても良い。そして、必ずしも透明にする必要はなく、自分の周囲にプライベート空間を形成する目的で用いる場合には、透明でない素材を用いてもよい。また、シールド本体の形状に関しても、必ずしも四角形状には限定されず、その他の形状にしてもよい。
【００２９】
次に、本実施例において前記シールド本体２は、図からも明らかなように、同一の形状寸法の板材２ａ、２ｂを２枚重ねて構成している。そのために、板材２ａ、２ｂ間に資料等を挟むことが可能であり、会議等において資料等を相手方に見せながら会話を行うことも可能である。
【００３０】
なお、本実施例において前記シールド本体２は、その表裏面に、光触媒層を具備している。そのため、光触媒の有する除菌、抗ウイルス機能により、シールド本体２に付着したウイルス等を除去することができ、対面して接客や会議等を行う者を、ウイルス等の飛沫感染から有効に防護することが期待できる。
【００３１】
シールド本体２の表裏面に光触媒層を具備する方法としては、光触媒のスプレーや塗料によって、シールド本体２の表裏面に噴霧、塗布することで光触媒層を具備する方法や、光触媒を含有した紙等のシート状製品をシールド本体２の表裏面に貼り付けることで光触媒層を具備する方法が考えられる。しかし、シールド本体２の表裏面に光触媒層を具備することが可能であれば、いずれの方法を採用して触媒層を具備しても良い。
【００３２】
また、光触媒の種類は特に限定されないが、本実施例では、光触媒としてチタンアパタイトを用いている。周知のようにチタンアパタイトは、富士通研究所と東京大学先端科学技術研究センターの共同研究で開発されたもので、アパタイト結晶中に酸化チタンを導入して製造され、有機物を確実に吸着するアパタイトの機能と、吸着した有機物を水と二酸化炭素にまで完全に酸化分解する酸化チタンの効果を併せ持つものである。そのために、本実施例ではシールド本体２が室内等に浮遊している埃、塵、菌、有害物質等の有機物を吸着し、確実に酸化分解することができるので、ウイルスの飛沫感染から防護することが期待される。
【００３３】
次に、図において３は、前記シールド本体２を支持するためのスタンド部である。即ち、本実施例の卓上用パーテーション１は、前記シールド本体２をスタンド部３で支持することとしており、これにより、自立可能としている。従って、会議テーブル、窓口カウンター等の上に設置することができ、容易に、所望する箇所に設置して飛沫感染を防止することが可能である。
【００３４】
ここで、前記スタンド部３について詳細に説明すると、本実施例において前記スタンド部３は、２個備えており、アルミ製としており、前記シールド本体２の左右の両端をそれぞれ支持することとしている。
【００３５】
そして、前記スタンド部３はそれぞれ、前記シールド本体２の左右側の端部を挟持して支持する挟持部４を有しており、この挟持部４は、長板形状の一対の挟持片４ａ、４ｂから構成され、挟持片４ａ、４ｂによってシールド本体２の端部分を挟持することとしている。
【００３６】
次に、図において５はスタンド本体である。即ち、前記スタンド部３はそれぞれ、スタンド本体５を有しており、このスタンド本体５は、前記挟持部４の下端に連設されている。そして、このスタンド本体５によって、スタンド部３は、シールド本体２を挟持した状態で自立可能となっている。
【００３７】
ここで、スタンド本体５について説明すると、本実施例において前記スタンド本体５は、前記挟持片４ａ、４ｂのそれぞれの下端に、斜め下方に向けて連設された一対の斜辺部６を有している。
【００３８】
そして、斜辺部６の下端は、長板状のベース部７の両端に連結されており、これにより、スタンド本体５は、シールド本体２を挟持するための空間を頂点部分に有した三角形状の側面としている。
【００３９】
次に、図において８は、挟持部４に挟持されたシールド本体２の位置を固定するための固定部材である。本実施例において固定部材は、平面視野で、凹部を有するコ字状とした形状としており、凹部にシールド本体２の端部を挿入することで、シールド本体２の位置を固定可能としている。
【００４０】
そして、本実施例において前記固定部材８は、脱着自在としている。そのために、挟持部４で挟持するシールド本体２における部分の位置を変えることが可能であり、それにより、シールド本体２を上下動自在としている。従って、シールド本体２を、任意の距離だけ上昇させた状態でスタンド部３により固定し、それによりシールド本体２の下方に空間を形成することで、シールド本体２を挟んで対向する相手方に、資料、商品等の受け渡しを可能にすることも可能である。
【００４１】
次に、このように構成される本実施例の卓上用パーテーション１の作用について説明すると、本実施例の卓上用パーテーション１を使用するときは、会議を行うテーブルやデスク上、あるいは、病院や診療所、調剤薬局等の医療機関や、銀行等の金融機関の窓口カウンターに、相手方と自分との間を仕切るようにして、本実施例の卓上用パーテーション１を設置する。そして、シールド本体２の上下方向の位置を所望する位置に調整して、固定部材８によってシールド本体２の位置を固定する。
【００４２】
そうすると、シールド本体２によって相手方からの飛沫を防護することができるとともに、当方の飛沫が相手方に向かうことも防止でき、これにより、飛沫からお互いを防護することが可能である。
【００４３】
また、本実施例では、シールド本体２を、板材２ａ、２ｂを２枚重ねることで構成しているために、板材２ａ、２ｂ間に資料等を挟むことが可能であり、会議等において資料等を見せながら会話を行うことも可能である。図において９が板材２ａ、２ｂ間に挟み込んだ資料等である。
【００４４】
更に、本実施例では、シールド本体２を上下動自在としているため、シールド本体２を任意の距離だけ上昇させた状態でスタンド部３によって固定し、それによりシールド本体２の下方に空間を形成することで、会議等の最中に資料、商品等の受け渡しを可能にすることも可能である。
【００４５】
そしてこのとき、本実施例の卓上用パーテーション１では、自立可能としているため、会議テーブル、窓口カウンター等の所望する箇所に容易に設置することが可能である。
【００４６】
このように、本実施例の卓上用パーテーションを用いることで、特に新型コロナウイルス等の未知なウイルスであってワクチンが存在せず、人間が免疫を持っていないウイルスの飛沫感染を有効に防止しつつ、接客業務や会議等を行うことが可能である。なお前述の説明では、本実施例の卓上用パーテーションをテーブルやデスク上に設置する場合を説明したが、カウンター等が無い場合には、シールド本体の上部に穴をあけて紐等で吊るして使用しても良い。
【産業上の利用可能性】
【００４７】
本考案の卓上用パーテーションは、所望する箇所に容易に設置することで接客や会議等を行う者を飛沫感染から有効に防護することが可能であるために、飛沫感染を防止するためのパネルの全般に適用可能である。
【符号の説明】
【００４８】
１    卓上用パーテーション
２    シールド本体
２ａ、ｂ  板材
３    スタンド部
４    挟持部
４ａ、４ｂ  挟持片
５    スタンド本体
６    斜辺部
７    ベース部
８    固定部材
９    資料
【図１】
0003228217.tif 000003
【手続補正書】
【提出日】令和2年7月15日(2020.7.15)
【手続補正１】
【補正対象書類名】実用新案登録請求の範囲
【補正対象項目名】請求項１
【補正方法】変更
【補正の内容】
【請求項１】
シールド本体（２）と、
該シールド本体（２）の左右の両端をそれぞれ支持する一対のスタンド部（３）と、を具備した、自立可能な卓上用パーテーションであって、
前記シールド本体（２）は、
２枚の板材（２ａ、２ｂ）を重ね合わすことで構成され、
前記スタンド部（３）はそれぞれ、
前記シールド本体（２）の左右の両端を挟持して支持する挟持部（４）と、
該挟持部（４）の下端に連設された、側面形状を三角形状としたスタンド本体（５）と、
前記シールド本体（２）の左右の両端を支持した状態で前記挟持部（４）とシールド本体（２）との位置を固定するための固定部材（８）と、を具備したことを特徴とする卓上用パーテーション。
【手続補正２】
【補正対象書類名】実用新案登録請求の範囲
【補正対象項目名】請求項４
【補正方法】変更
【補正の内容】
【請求項４】
前記シールド本体（２）は、透明なプラスチック製であることを特徴とする請求項１乃至請求項３のいずれかに記載の卓上用パーテーション。